(57)【特許請求の範囲】
【請求項１】
視聴環境の照度を検出する検出手段の検出結果に基づき輝度の上限値及び下限値を算出する上限下限値算出手段と、
前記上限値及び前記下限値の範囲内で、入力画像信号に基づく画像表示のための複数光源の各輝度を算出する輝度算出手段と、
前記輝度算出手段により算出された前記複数光源の各輝度に基づき、前記入力画像信号を補正する補正手段と、
前記補正手段により補正された補正入力画像信号に基づき各光源からの光を変調する光変調手段と、
を備え、
前記上限下限値算出手段は、第１の照度値検出に基づき第１の下限値とこの第１の下限値に対して第１の比率の第１の上限値とを算出し、前記第１の照度値より明るいことを示す第２の照度値検出に基づき前記第１の下限値より小さい第２の下限値とこの第２の下限値に対して前記第１の比率より大きい第２の比率の第２の上限値とを算出する画像処理装置。
【請求項２】
入力画像信号の属性を検出する属性検出手段と、
前記入力画像信号の属性に基づき輝度の上限値及び下限値を算出する上限下限値算出手段と、
前記上限値及び前記下限値の範囲内で、前記入力画像信号に基づく画像表示のための複数光源の各輝度を算出する輝度算出手段と、
前記輝度算出手段により算出された前記複数光源の各輝度に基づき、前記入力画像信号を補正する補正手段と、
前記補正手段により補正された補正入力画像信号に基づき各光源からの光を変調する光変調手段と、
を備え、
前記上限下限値算出手段は、前記入力画像信号の属性がフィルム画像から変換された信号でないことを示す場合に第１の下限値を算出し、前記入力画像信号の属性がフィルム画像から変換された信号であることを示す場合に前記第１の下限値より小さい第２の下限値を算出する画像処理装置。
【請求項３】
入力画像信号の属性を検出する属性検出手段と、
前記入力画像信号の属性に基づき輝度の上限値及び下限値を算出する上限下限値算出手段と、
前記上限値及び前記下限値の範囲内で、前記入力画像信号に基づく画像表示のための複数光源の各輝度を算出する輝度算出手段と、
前記輝度算出手段により算出された前記複数光源の各輝度に基づき、前記入力画像信号を補正する補正手段と、
前記補正手段により補正された補正入力画像信号に基づき各光源からの光を変調する光変調手段と、
を備え、
前記上限下限値算出手段は、前記入力画像信号の属性がフィルム画像から変換された信号でないことを示す場合に第１の下限値とこの第１の下限値に対して第１の比率の第１の上限値とを算出し、前記入力画像信号の属性がフィルム画像から変換された信号であることを示す場合に第２の下限値とこの第２の下限値に対して前記第１の比率より小さい第２の比率の第２の上限値とを算出する画像処理装置。
【請求項４】
前記補正手段は、前記輝度算出手段により算出された前記複数光源の各輝度に基づき、前記複数光源に対応した空間的位置の前記入力画像信号を補正する請求項１乃至請求項３のいずれかに記載の画像処理装置。
【発明の詳細な説明】
【技術分野】
【０００１】
本発明は、バックライトにより液晶パネルを照明し画像を表示する画像処理装置に関する。
【背景技術】
【０００２】
現在、テレビ、パーソナルコンピュータ、及び携帯電話機などの画像表示手段として液晶表示装置が用いられている。液晶表示装置は、液晶パネルと液晶パネルの背面側に配置されたバックライトとにより構成される。液晶パネルは発光しないため、バックライトが液晶パネルを照明して画像を表示する。
【０００３】
近年、液晶表示装置の画像の品位向上に対する要望は強く、様々な技術が提案されている。バックライトを構成する複数の光源（ＬＥＤ）の発光を個々に制御する技術を利用し、省エネルギー且つ高品位な画像を表示する液晶表示装置が提案されている。その一例として、入力画像信号に基づいて照明部の各照明領域の輝度を制御する表示装置が提案されている（特許文献１参照）。また、別の例として、周囲の環境光の照度を検知し、環境光の照度に応じて透過型表示モードと反射型表示モードとを切り替える電気光学装置も提案されている（特許文献２参照）。
【先行技術文献】
【特許文献】
【０００４】
【特許文献１】特開２００２−９９２５０号公報
【特許文献２】特開２００７−２１９１２５号公報
【発明の概要】
【発明が解決しようとする課題】
【０００５】
上記したように様々な画像品位向上技術が提案されているが、画像品位向上に対する要望は尽きない。
【０００６】
例えば、特許文献１に開示された表示装置は、視聴環境の照度を考慮せずに、各照明領域の輝度を制御している。このため、暗い視聴環境下では表示画像が明るすぎたり、コントラストが高すぎたりすることがある。逆に、明るい視聴環境下では、表示画像が暗すぎたり、コントラストが低すぎたりすることがある。また、特許文献１に開示された表示装置は、入力画像信号の属性を考慮せずに、各照明領域の輝度を制御している。このため、例えば、フィルム画像から変換された入力画像信号に基づく画像を表示する場合に、表示画像が明るすぎたり、コントラストが高すぎたりしてフィルム画像を好適に表示することが難しい。
【０００７】
また、特許文献２に開示された電気光学装置は、視聴環境の照度に応じて透過型表示モードと反射型表示モードとを切り替えているが、表示画像の特性について考慮していないため、やはり表示画像を好適に表示することが難しい。
【０００８】
本発明の目的は、視聴者に好適な画像表示に優れた画像処理装置を提供することにある。
【課題を解決するための手段】
【０００９】
本発明の一実施形態に係る画像処理装置は、視聴環境の照度を検出する検出手段の検出結果に基づき輝度の上限値及び下限値を算出する上限下限値算出手段と、前記上限値及び前記下限値の範囲内で、入力画像信号に基づく画像表示のための複数光源の各輝度を算出する輝度算出手段と、前記輝度算出手段により算出された前記複数光源の各輝度に基づき、前記入力画像信号を補正する補正手段と、前記補正手段により補正された補正入力画像信号に基づき各光源からの光を変調する光変調手段と、を備え、前記上限下限値算出手段は、第１の照度値検出に基づき第１の下限値とこの第１の下限値に対して第１の比率の第１の上限値とを算出し、前記第１の照度値より明るいことを示す第２の照度値検出に基づき前記第１の下限値より小さい第２の下限値とこの第２の下限値に対して前記第１の比率より大きい第２の比率の第２の上限値とを算出する。
【発明の効果】
【００１０】
本発明によれば、視聴者に好適な画像表示に優れた画像処理装置を提供できる。
【図面の簡単な説明】
【００１１】
【図１】本発明の第１の実施形態に係る液晶表示装置の概略構成を示す図である。
【図２】本発明の第２の実施形態に係る液晶表示装置の概略構成を示す図である。
【図３】視聴環境の照度値に基づく複数の光源の輝度の上限値設定の一例を示す図である。
【図４】視聴環境の照度値に基づく複数の光源の輝度の下限値設定の一例を示す図である。
【図５】視聴環境の照度値に基づく複数の光源の輝度の下限値に対する上限値の比率設定の一例を示す図である。
【図６】フィルム画像に該当する入力画像信号又はフィルム画像に該当しない入力画像信号に対応するための上限値設定の一例を示す図である。
【図７】フィルム画像に該当する入力画像信号又はフィルム画像に該当しない入力画像信号に対応するための下限値設定の一例を示す図である。
【図８】フィルム画像に該当する入力画像信号又はフィルム画像に該当しない入力画像信号に対応するための下限値に対する上限値の比率設定の一例を示す図である。
【図９】図１又は図２に示す液晶表示装置のバックライトと液晶パネルの構成を示す分解斜視図である。
【図１０】バックライトを構成する光源の構成を示す斜視図である。
【発明を実施するための形態】
【００１２】
以下、図面を参照し、本発明の実施形態について説明する。
【００１３】
図１は、本発明の第１の実施形態に係る液晶表示装置（画像表示装置）の概略構成を示す図である。図１に示すように、液晶表示装置１００は、照度検出モジュール１１、輝度上限下限値算出モジュール１２、輝度算出モジュール１３、発光モジュール１４、光変調モジュール１５、画像信号補正モジュール１６を備えている。
【００１４】
発光モジュール１４は、点灯制御部及びバックライトにより構成され、バックライトは、複数の光源（例えばＬＥＤ）により構成されている。点灯制御部は、輝度算出モジュール１３からの各光源に対する輝度値（光源点灯値）に基づき、各光源の発光輝度を制御する。光変調モジュール１５は、液晶制御部及び液晶パネルにより構成され、液晶制御部は、画像信号補正モジュール１６からの補正画像信号に基づき、液晶パネルによる各光源からの光の変調を制御する。つまり、液晶制御部は、液晶パネルの透過率を制御する。これにより、液晶パネルで補正入力画像信号に基づく画像が表示される。液晶表示装置１００は、液晶パネルによる画像の表示タイミングと各光源の点灯タイミングとを適合させている。
【００１５】
ここで、図９及び図１０を参照して、図１及び図２に示す液晶表示装置１００を構成するバックライト１４０と液晶パネル１５０の詳細について説明する。図９は液晶表示装置１００のバックライト１４０と液晶パネル１５０の構成を示す分解斜視図、図１０はバックライト１４０を構成する光源の構成を示す斜視図である。
【００１６】
バックライト１４０は、発光部１４１と、発光部１４１の前面に配置されたプリズムシート１４３を挟む一対の拡散板１４２、１４４とを有する。発光部１４１は、パネル形状を有しており、複数の光源領域１４５がＭ行Ｎ列の縦横規則的に配置されたマトリクス構造を有している。なお、図９では、一例として５行８列の光源領域１４５を備えた発光部１４１を示している。
【００１７】
光源領域１４５は、図１０に示すように、拡散板１４２等との重なり方向に延びる隔壁１４６によって四方を囲まれている。また、各光源領域１４５には、ＲＧＢ三原色の３個のＬＥＤ１６１，１６２，１６３からなる光源１４８が配置されている。光源１４８は、赤色ＬＥＤ１６１、緑色ＬＥＤ１６２、及び青色のＬＥＤ１６３によって構成され、赤緑青の３色を混ぜながら前面（液晶パネル１５０）に向けて光を出射する。各光源領域１４５からの出射光によって液晶パネル１５０の背面側が照明され、出射光の液晶パネル１５０の透過を調整して映像が表示される。
【００１８】
そして、液晶表示装置１００は、各光源領域１４５に配置されている複数の光源１４８によってバックライト１４０が全面発光して、液晶パネル１５０に背面から光を照明する直下型方式になっている。液晶パネル１５０は一対の偏光板１５５、１５７と、その偏光板１５５、１５７の間に挟まれた液晶１５６とを有している。
【００１９】
再び図１に戻り、液晶表示装置の概略構成について説明する。輝度算出モジュール１３は、各光源に対応する空間的位置の入力画像信号から各光源の輝度値を算出し、各光源に算出輝度値を入力し、各光源の輝度を制御する。例えば、各光源に対応する空間的位置の入力画像信号の最大値（最大輝度値）を求め、その最大値が大きいほど最大値に対応する光源の輝度を高くする。このようにすると、表示画像のコントラストを高めることができる。ただし、輝度算出モジュール１３は、後述する輝度上限下限値算出モジュール１２からの上限値と下限値の間で光源の輝度値を算出する。
【００２０】
画像信号補正モジュール１６は、輝度算出モジュール１３からの各光源の輝度値に応じて、空間的位置の入力画像信号を補正する。例えば、画像信号補正モジュール１６は、ある画素位置に対応する光源の輝度値を輝度算出モジュール１３からの各光源の輝度値から求める。さらに、画像信号補正モジュール１６は、その画素位置に対応する光源の輝度値が低いほどその画素位置に対応する信号レベルを増幅する。このようにすると、表示画像の階調を良好にすることができる。画像信号補正モジュール１６の出力は光変調モジュール１５（液晶制御部）に入力される。
【００２１】
照度検出モジュール１１は、視聴環境の照度を検出して、検出照度値を輝度上限下限値算出モジュール１２に入力する。例えば、視聴環境の照度値が高い（明るい）場合には、輝度上限下限値算出モジュール１２は、複数の光源の輝度の上限値を大きい値に設定する（図３参照）。つまり、輝度上限下限値算出モジュール１２は、第１の照度値検出に基づき第１の上限値を算出し、第１の照度値より明るいことを示す第２の照度値検出に基づき第１の上限値より大きい第２の上限値を算出する。これにより、入力画像の明るい部分を視聴環境の明るさに負けないように明るく表示することができる。
【００２２】
或いは、視聴環境の照度値が高い（明るい）場合には、輝度上限下限値算出モジュール１２は、複数の光源の輝度の下限値を大きい値に設定する（図４参照）。つまり、輝度上限下限値算出モジュール１２は、第１の照度値検出に基づき第１の下限値を算出し、第１の照度値より明るいことを示す第２の照度値検出に基づき第１の下限値より大きい第２の下限値を算出する。これにより、入力画像の暗い部分を、人の視覚特性によって黒つぶれしないように（暗くなりすぎないように）適切に表示することができる。
【００２３】
なお、視聴環境の照度値が高い（明るい）場合には、輝度上限下限値算出モジュール１２は、複数の光源の輝度の上限値を大きい値に設定するとともに、複数の光源の輝度の下限値も大きい値に設定してもよい。
【００２４】
また、下限値に対する上限値の比が大きいほど表示画像のコントラストを高くすることが可能になる。そこで、視聴環境の照度値が高い（明るい）場合には、輝度上限下限値算出モジュール１２は、下限値に対する上限値の比を大きくする(図５参照)。つまり、輝度上限下限値算出モジュール１２は、第１の照度値検出に基づき第１の下限値とこの第１の下限値に対して第１の比率の第１の上限値とを算出し、第１の照度値より明るいことを示す第２の照度値検出に基づき第２の下限値とこの第２の下限値に対して第１の比率より大きい第２の比率の第２の上限値とを算出する。下限値に対する上限値の比を大きくする手法としては、例えば、下限値だけを低い値に設定してもよいし（第２の下限値＜第１の下限値、第１の上限値＝第２の上限値）、上限値だけを高い値に設定してもよい（第２の下限値＝第１の下限値、第１の上限値＜第２の上限値）。また、下限値及び上限値の両者を変更して下限値に対する上限値の比を大きくすることもできる。これにより、表示画像のコントラストを高くし、人の視覚特性によってコントラストが低く感じられないように画像を表示することができる。
【００２５】
一方、視聴環境の照度値が低い（暗い）場合には、輝度上限下限値算出モジュール１２は、複数の光源の輝度の上限値を小さい値に設定する（図３参照）。これにより、入力画像の明るい部分の明るさを落として入力画像の明るい部分をまぶしすぎないように表示することができる。
【００２６】
或いは、視聴環境の照度値が低い（暗い）場合には、輝度上限下限値算出モジュール１２は、複数の光源の輝度の下限値を小さい値に設定する（図４参照）。これにより、入力画像の暗い部分をより暗く表示することができる。
【００２７】
なお、視聴環境の照度値が低い（暗い）場合には、輝度上限下限値算出モジュール１２は、複数の光源の輝度の上限値を小さい値に設定するとともに、複数の光源の輝度の下限値も小さい値に設定してもよい。
【００２８】
また、下限値に対する上限値の比が小さいほど表示画像のコントラストを低くすることができる。そこで、視聴環境の照度値が低い（暗い）場合には、輝度上限下限値算出モジュール１２は、下限値に対する上限値の比を小さくする(図５参照)。下限値に対する上限値の比を小さくする手法としては、例えば、下限値だけを高い値に設定してもよいし、上限値だけを低い値に設定してもよい。また、下限値及び上限値の両者を変更して下限値に対する上限値の比を小さくすることもできる。これにより、表示画像のコントラストを低くし、人の視覚特性によってコントラストが高すぎると感じられないように画像を表示することができる。
【００２９】
図２は、本発明の第２の実施形態に係る液晶表示装置（画像表示装置）の概略構成を示す図である。図２に示すように、液晶表示装置１００は、照度検出モジュール１１、輝度上限下限値算出モジュール１２、輝度算出モジュール１３、発光モジュール１４、光変調モジュール１５、画像信号補正モジュール１６、フィルム素材信号検出モジュール１７を備えている。図１に示す液晶表示装置１００の構成と図２に示す液晶表示装置１００の構成との大きな違いは、図２に示す液晶表示装置１００が、フィルム素材信号検出モジュール１７を備えている点である。
【００３０】
フィルム素材信号検出モジュール１７は、入力画像信号の属性を検出するモジュールであり、例えば入力画像信号が、映画フィルムに記録された画像から生成された信号（フィルム画像信号）であるか否かの属性を検出する。検出手法の一例として、フィルム素材信号検出モジュール１７は、入力画像信号のフレーム間の動きのパターンから、入力画像信号が２−３プルダウン信号であるか否かを検出する。フィルム素材信号検出モジュール１７は、入力画像信号が２−３プルダウン信号であることを検出すると、この入力画像信号の属性をフィルム画像信号と判定し、フィルム画像信号の判定結果を輝度上限下限値算出モジュール１２に入力する。
【００３１】
ここで２−３プルダウン信号について補足する。２−３プルダウンとは、映画フィルムなど毎秒２４コマで記録された画像を、テレビ放送用の毎秒３０フレーム（６０フィールド）の映像信号に変換（プルダウン）する手法である。例えば、映画フィルムの奇数番目のコマを２フィールド又は３フィールドに変換し、偶数番目のコマを３フィールド又は２フィールドに変換する。つまり、映画フィルムの奇数番目のコマと偶数番目のコマの２コマを５フィールドに変換する。即ち、２４コマを６０フィールドに変換する。これにより、映画フィルムの画像をテレビ放送用の毎秒３０フレーム（６０フィールド）の映像信号に変換することができる。つまり、２−３プルダウン信号とは、映画フィルムに記録された画像からテレビ放送用に生成された画像信号である。
【００３２】
輝度上限下限値算出モジュール１２は、検出照度値とフィルム画像信号ではない旨の判定結果とに基づき第１の上限値を設定し、検出照度値とフィルム画像信号である旨の判定結果とに基づき第１の上限値より小さい第２の上限値を設定する（図６参照）。図６に示すように、フィルム画像信号でない場合の上限値Ｕ０に対して、フィルム画像信号である場合の上限値Ｕ１又は上限値Ｕ２を設定することができる。つまり、上限値Ｕ０に対して、一律に低い上限値Ｕ１を設定してもよいし、上限値Ｕ０に対して、照度値が高くなるにつれて減少幅が大きくなる上限値Ｕ２を設定してもよい。
【００３３】
或いは、輝度上限下限値算出モジュール１２は、検出照度値とフィルム画像信号ではない旨の判定結果とに基づき第１の下限値を設定し、検出照度値とフィルム画像信号である旨の判定結果とに基づき第１の下限値より小さい第２の下限値を設定する（図７参照）。図７に示すように、フィルム画像信号でない場合の下限値Ｌ０に対して、フィルム画像信号である場合の下限値Ｌ１又は下限値Ｌ２を設定することができる。つまり、下限値Ｌ０に対して、一律に低い下限値Ｌ１を設定してもよいし、下限値Ｌ０に対して、照度値が高くなるにつれて減少幅が大きくなる下限値Ｕ２を設定してもよい。
【００３４】
或いは、輝度上限下限値算出モジュール１２は、検出照度値とフィルム画像信号ではない旨の判定結果とに基づき第１の上限値及び第１の下限値を設定し、検出照度値とフィルム画像信号である旨の判定結果とに基づき第１の上限値より小さい第２の上限値及び第１の下限値より小さい第２の下限値を設定する。
【００３５】
或いは、輝度上限下限値算出モジュール１２は、検出照度値とフィルム画像信号ではない旨の判定結果とに基づき下限値に対する上限値を第１の比率に設定し、検出照度値とフィルム画像信号である旨の判定結果とに基づき下限値に対する上限値を第１の比率より小さい第２の比率に設定する(図８参照)。下限値に対する上限値の比率を小さくする手法としては、例えば、下限値を高い値に設定してもよいし、上限値を低い値に設定してもよい。また、下限値及び上限値の両者を変更して下限値に対する上限値の比率を小さくすることもできる。図８に示すように、フィルム画像信号でない場合の下限値に対する上限値の比率Ｒ０に対して、フィルム画像信号である場合の下限値に対する上限値の比率Ｒ１又は比率Ｒ２を設定することができる。つまり、比率Ｒ０に対して、一律に低い比率Ｒ１を設定してもよいし、比率Ｒ０に対して、照度値が高くなるにつれて減少幅が大きくなる比率Ｒ２を設定してもよい。
【００３６】
以上により、フィルム画像信号である場合には、明るさをやや下げた画像を表示することができる。これは、フィルム画像信号である場合は、フィルム画像信号ではない場合に比べて、明るさを下げて画像を表示した方が映写機による画像表示に近くなるためである。つまり、このように表示した方が視聴者に好まれる傾向があるからである。
【００３７】
従来の液晶表示装置は、視聴環境の照度を考慮せずに複数の光源の輝度を決定する。このため、暗い視聴環境下では表示画像が明るすぎたり、コントラストが高すぎたりすることがある。逆に、明るい視聴環境下では、表示画像が暗すぎたり、コントラストが低すぎたりすることがある。また、従来の液晶表示装置は、入力画像信号の属性を考慮せずに、複数の光源の輝度を決定する。例えば、従来の液晶表示装置は、フィルム画像信号であるか否かに関係なく、複数の光源の輝度を決定する。このため、表示画像が明るすぎたり、コントラストが高すぎたりしてフィルム画像を好適に表示できない。
【００３８】
本実施形態の液晶表示装置１００は、視聴環境の照度を考慮して各光源の輝度を制御する。このため、人の視覚特性に適した明るさやコントラストで画像を表示することができる。つまり、明るすぎたり暗すぎたりすることなく、また、コントラストが高すぎたり低すぎたりすることなく、画像を好適に表示することができる。さらに、本実施形態の液晶表示装置１００は、入力画像信号がフィルム画像信号であるか否かを考慮して、各光源の輝度を制御する。このため、フィルム画像を好適に表示することができる。
【００３９】
なお、上記したモジュールとは、ハードウェアで実現するものであっても良いし、ＣＰＵ等を使ってソフトウェアで実現するものであってもよい。
【００４０】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００４１】
以下に、本出願の原出願の出願当初の特許請求の範囲に記載された発明を付記する。
【００４２】
［１］
視聴環境の照度を検出する検出手段と、
前記照度検出結果に基づき輝度の上限値及び下限値を算出する上限下限値算出手段と、
前記上限値及び前記下限値の範囲内で、入力画像信号に基づく画像表示のための複数光源の各輝度を算出する輝度算出手段と、
前記算出輝度に基づき前記入力画像信号を補正する補正手段と、
前記算出輝度に基づき発光する前記複数光源により構成された発光手段と、
前記補正入力画像信号に基づき各光源からの光を変調し画像を表示する光変調手段と、
を備えたことを特徴とする画像表示装置。
【００４３】
［２］
前記入力画像信号の属性を検出する属性検出手段を備え、
前記上限下限値算出手段は、前記入力画像信号の属性及び前記照度検出結果に基づき輝度の上限値及び下限値を算出することを特徴とする［１］に記載の画像表示装置。
【００４４】
［３］
前記上限下限値算出手段は、第１の照度値検出に基づき第１の上限値を算出し、前記第１の照度値より明るいことを示す第２の照度値検出に基づき前記第１の上限値より大きい第２の上限値を算出することを特徴とする［１］に記載の画像表示装置。
【００４５】
［４］
前記上限下限値算出手段は、第１の照度値検出に基づき第１の下限値を算出し、前記第１の照度値より明るいことを示す第２の照度値検出に基づき前記第１の下限値より大きい第２の下限値を算出することを特徴とする［１］に記載の画像表示装置。
【００４６】
［５］
前記上限下限値算出手段は、第１の照度値検出に基づき第１の下限値とこの第１の下限値に対して第１の比率の第１の上限値とを算出し、前記第１の照度値より明るいことを示す第２の照度値検出に基づき第２の下限値とこの第２の下限値に対して前記第１の比率より大きい第２の比率の第２の上限値とを算出することを特徴とする［１］に記載の画像表示装置。
【００４７】
［６］
前記上限下限値算出手段は、前記入力画像信号の属性がフィルム画像から変換された信号でないことを示す場合に第１の上限値を算出し、前記入力画像信号の属性がフィルム画像から変換された信号であることを示す場合に前記第１の上限値より小さい第２の上限値を算出することを特徴とする［２］に記載の画像表示装置。
【００４８】
［７］
前記上限下限値算出手段は、前記入力画像信号の属性がフィルム画像から変換された信号でないことを示す場合に第１の下限値を算出し、前記入力画像信号の属性がフィルム画像から変換された信号であることを示す場合に前記第１の下限値より小さい第２の下限値を算出することを特徴とする［２］に記載の画像表示装置。
【００４９】
［８］
前記上限下限値算出手段は、前記入力画像信号の属性がフィルム画像から変換された信号でないことを示す場合に第１の下限値とこの第１の下限値に対して第１の比率の第１の上限値とを算出し、前記入力画像信号の属性がフィルム画像から変換された信号であることを示す場合に第２の下限値とこの第２の下限値に対して前記第１の比率より小さい第２の比率の第２の上限値とを算出することを特徴とする［２］に記載の画像表示装置。
【００５０】
［９］
視聴環境の照度を検出し、
前記照度検出結果に基づき輝度の上限値及び下限値を算出し、
前記上限値及び前記下限値の範囲内で、入力画像信号に基づく画像表示のための複数光源の各輝度を算出し、
前記算出輝度に基づき前記入力画像信号を補正し、
前記算出輝度に基づき前記複数光源を発光するとともに、前記補正入力画像信号に基づき各光源からの光を変調し画像を表示する、
ことを特徴とする画像表示方法。
【符号の説明】
【００５１】
１１…照度検出モジュール、１２…輝度上限下限値算出モジュール、１３…輝度算出モジュール、１６…画像信号補正モジュール、１５…光変調モジュール、１４…発光モジュール、１７…フィルム素材信号検出モジュール
【図１】
0005242752.tif 000002
【図２】
0005242752.tif 000003
【図３】
0005242752.tif 000004
【図４】
0005242752.tif 000005
【図５】
0005242752.tif 000006
【図６】
0005242752.tif 000007
【図７】
0005242752.tif 000008
【図８】
0005242752.tif 000009
【図９】
0005242752.tif 000010
【図１０】
0005242752.tif 000011